Podtech/llm-jp-corpus-v4-ja_patent huggingface dataset:
(57)【要約】      （修正有）【課題】用便の前後の座り、立上り時の肢体の負担を少なくする洋式便器を提供する。【解決手段】便器本体の床接触部又は、上部分を前勾配になる様に各部分を加工するか、可動便座を前勾配に加工するか若しくは、前記の加工を併用して座部の前勾配を実現する。上述の様に、座部が前勾配付洋式便器は座部を前勾配にする事により、用便の前後の座り、立上がり時の肢体にかかる力を軽減する事に役立つ。【選択図】図２
0003152933.tif 000002
【実用新案登録請求の範囲】
【請求項１】
便器本体又は可動便座を前勾配に加工するか若しくは、前記の加工を併用して座部に前勾配を付け、用便の前後の座り、立上り時の肢体の負担を軽減したところを特徴とする座部の前勾配付洋便器。
【考案の詳細な説明】
【技術分野】
【０００１】  本考案は、便器本体又は可動便座を前勾配に加工するか若しくは、前記の加工を併用して座部に前勾配をつけた、洋便器に関するものである。
【背景技術】
【０００２】  住宅、病院、介護施設等において用便の前後の座り、立ち上がり時において、足の膝等に多くの力がかかり、肢体が弱っている人や痛めている人が不便を感じている。
【考案の概要】
【考案が解決しようとする課題】
【０００３】  従来の洋便器は座部が、ほとんど水平になっているので用便の前後の座り、立ち上がり時において、足の膝等に大きな力が必要だが、座部を前勾配にする事により肢体にかかる力を軽減する事が出来、問題点を解決している。
【課題を解決するための手段】
【０００４】  本考案は、便器本体の床接触部又は、上部分を前勾配になる様に各部分を加工するか、可動便座を前勾配に加工するか若しくは、前記の加工を併用して座部の前勾配を実現する。
【考案の効果】
【０００５】  上述の様に、本考案の座部が前勾配付洋便器は座部を前勾配にする事により、用便の前後の座り、立上り時の肢体にかかる力を軽減する事に役立つ。
【図面の簡単な説明】
【０００６】
【図１】便器本体の上部のみを前勾配に加工した側面図
【図２】可動便座のみを前勾配に加工した側面図
【考案を実施するための形態】
【０００７】  本考案は便器本体や可動便座の製作時に前勾配の加工をすれば、取付方法や使用方法は従来通りである。
【実施例】
【０００８】  以下、添付図面に従って二実例を説明する。［図１］は▲３▼の便器本体の上部に勾配を設けるか、［図２］の▲４▼の可動便座に勾配を設ければ座部が前勾配となる。
【産業上の利用可能性】
【０００９】
【符号の説明】
【００１０】  ▲１▼  便器の蓋
▲２▼  従来型の勾配を設けない可動便座
▲３▼  上部に勾配を設けた便器本体
▲４▼  勾配を設けた可動便座
▲５▼  従来型の勾配を設けない便器本体
【図１】
0003152933.tif 000003
【図２】
0003152933.tif 000004
(57)【要約】      （修正有）【課題】圧粘着方式（足底の接触面積および圧力の大小により色の濃淡が変化）により足底圧力の位置および大小が簡単に測定できる装置を提供する。【解決手段】多孔シート、薄膜フイルム、粘着シートおよびベルクロを順次重ねて使用し、被検者の足底圧力に応じて薄膜フイルムが粘着シートに貼り付き色の濃淡になって現れる。繰り返し使用出来、紙やインクなどが不用な簡易測定装置である。【選択図】図３
0003152938.tif 000002
【実用新案登録請求の範囲】
【請求項１】
足底圧力による粘着面積の大小により色の濃淡が生じる、多孔シート，薄膜フイルム，粘着シートおよびベルクロの順に積層された足底圧力の簡易測定装置。
【考案の詳細な説明】
【技術分野】
【０００１】  本考案は、足底圧力の簡易測定装置であって、圧粘着方式（足底の接触面積および圧力の大小により色の濃淡が変化）により、足底圧力の位置および大小が簡単に測定できる装置に関する。
【背景技術】
【０００２】  人間は２本足で歩行するため足は地面と接触する時、体重を支える事で下肢や関節に掛かる力や衝撃を吸収して身体の平衡を保っている。
この機能は足部内にある骨格や靱帯および筋肉などの組織が調和している事にある。一般的に約８０％の人が足に何らかの障害を持っており足首の障害は歩行姿勢を悪くし、更には関節への圧力により病を引き起こす。これらの障害は足底圧力を測定し自分に合った靴の中敷や靴を作成する事により矯正する事ができる。
【考案の開示】
【考案が解決しようとする課題】
【０００３】  現在、足底圧力の測定には歩行状態を測定するＧａｉｔ  Ａｓｓｅｓｍｅｎｔと静止状態を測定する方式の２通りがある。  歩行状態で測定する方法は特殊な設備および、専門の検査員が必要でありまた非常に高価である。
静止して測定する方式としては、インクを使用する印刷方式による物で、ゴムマットの裏面に高さの異なる線が格子状に施されており、これにインクローラーにて均一にインクを塗布した後、底板との間に用紙をセットしゴムマットの上に被検者を立たせて測定する。足底圧力に応じて格子模様の密度が変化しインクの着肉度合いが異なり足底の圧力を見る事ができる（図１）。しかしこの方法は、安価であるが測定ごとに均一にインクを塗布したり、紙を差し替えなければならず、繁忙時には時間を要しまたインクを使うため、床や被検者，検査員を汚すなどの支障が多々あった。
【課題を解決するための手段】
【０００４】  本考案は、これらの欠点を改良する物であり、多年の実地経験を元に環境保全を考慮して、インクの塗布と紙の使用を無くした測定装置である。
【考案の効果】
【０００５】  本考案は多孔シート、薄膜フイルム、粘着シートおよびベルクロ（フック）を重ねて使用する装置であって、被検者はその装置の上に立つ（数秒間静止し離れる）事によって多孔シートを介して薄膜フイルムが粘着シートに貼り付き、足底の圧力に応じて貼り付く面積および位置が色の濃淡になって現れるものである。
また  測定評価が終了した場合、貼りついた薄膜フイルムを粘着シートから剥がすと画像は消え再度繰り返し測定可能となる。
その構造は簡単で安価であり、操作し易く特別な測定機械は不要で、直接目視で判断できるため中敷や靴の製作に広く利用可能となる。
また  インクも必要ないため、床や被験者、検査員など汚すことが無かった。
【考案を実施するための最良の形態】
【０００６】  以下、添付図面を参照して本考案の好適な実施の形態を詳細に説明する。尚下記の実施例は本考案の好適な実施例を示したに過ぎず、本考案の技術的範囲は、下記実施例そのものに何ら限定されるものではない。
【実施例１】
【０００７】  図２は本考案による足底圧力の簡易測定装置の上方よりの分解透視図であり、上層より多孔シート、薄膜フイルム、粘着シートおよびベルクロ（フック）の順に重ねて使用する。【０００８】  上層の多孔シート（１０）は、円形や角型など各種形態の無数の小孔（１０１）を有するシートであり足底の圧力および面積の解像度を上げる目的を有する。
薄膜フイルム（２０）は、透明又は半透明の柔軟性を持つフイルムであり、粘着シート（３０）は、色濃度の高い柔軟で再剥離性のある微粘着性のシートである。また最下層のベルクロ（４０）は、ハードタイプのフック（４０１）を使用し足底圧力の解像度を上げる目的を有する。【０００９】  被検者は上記４層を積層した測定装置の上に数秒間立つと、薄膜フイルムは足底の圧力の大小に応じて多孔板の小孔を通じて粘着シートに粘着し足底圧力の高い所は色濃度が濃く、低い所は薄く現れ、明瞭に足底圧力が測定可能となった（図３，図４）。コンピューターや特殊な測定器など必要が無く、持ち運びに便利で操作性が優れていた。
また、評価後粘着した薄膜フイルムを粘着シートから剥がすと画像は消失しインクや紙などが必要も無く再度使用可能となった。
【図面の簡単な説明】
【００１０】
【図１】  印刷方式による足底圧の測定図
【図２】  本考案の分解透視図
【図３】  本考案の足底圧の測定図
【図４】  本考案の足底圧の測定拡大図
【符号の説明】
【００１１】１０        多孔シート
１０１      小孔
２０        薄膜フイルム
２０１−Ａ  足底圧力最低
２０１−Ｂ  足底圧力低
２０１−Ｃ  足底圧力大
２０１−Ｄ  足底圧力最大
３０        粘着シート
４０        ベルクロ
４０１      ベルクロのフック
【図１】
0003152938.tif 000003
【図２】
0003152938.tif 000004
【図３】
0003152938.tif 000005
【図４】
0003152938.tif 000006
(57)【要約】      （修正有）【課題】均一に、しょう油を注げる構造を提供する。【解決手段】注ぎ口１を複数以上設けることで、しょう油を均一に注ぐことができる。従来のしょう油差しに比べ、しょう油が二条以上で注がれるので、簡便で均一に広く、しょう油をかけることができる。【選択図】図１
0003152012.tif 000002
【実用新案登録請求の範囲】
【請求項１】
しょう油差しの注ぎ口を複数以上設け、しょう油を簡便且つ均一に注ぐことができることを特徴とするしょう油差し
【考案の詳細な説明】
【技術分野】
【０００１】本考案は、しょう油差しの構造に関する【０００２】従来のしょう油差しは、注ぎ口が一口なため均一に、しょう油を注げなかった。
【考案の開示】
【０００３】このしょう油差しは、注ぎ口を複数以上設けることにより均一に、しょう油を注げる構造を提供することを課題とする。
【解決】
【０００４】以上の課題を解決するために、注ぎ口を複数以上設け、しょう油を均一に注ぐことができる構造を特徴とする、しょう油差しである。
【考案の効果】
【０００５】従来のしょう油差しに比べ、しょう油が二条以上で注がれるので、簡便で均一に広く、しょう油をかけることができる。
【実案を実施するための最良の形態】
【０００６】この実案の一実施形態を、図１にしめす。
このしょう油差しは▲１▼注ぎ口が二箇所以上設けられている。
【実施形態の効果】
【０００７】この実施形態によれば、使用時において▲１▼注ぎ口より二条以上の、しょう油が一気に広く且つ均一に注がれる。
【図面の簡単な説明】
【０００８】
【図１】この考案の正面図である。
【図２】この考案の側面図である。
【符号の説明】
【０００９】▲１▼注ぎ口
【図１】
0003152012.tif 000003
【図２】
0003152012.tif 000004
(57)【要約】      （修正有）【課題】便の回収を簡単にし、臭いもほとんど出なくなるストーマ便回収袋を提供する。【解決手段】プラスチック袋３の開口部内側両面に相対向するようにそれぞれ粘着性の帯１，１を取り付け、双方の粘着性の帯の間に剥離紙２，２が挟み込まれていることを特徴とするストーマ便回収袋を使用する。回収用のプラスチック袋の開口部内側両面に取り付けられた粘着性の帯により、ストーマ袋と回収袋は一体となり、ストーマ袋の中の便を外気にさらすことなく回収袋に移動させることができる。このことは、開口している袋に便を回収するより、簡単に便を回収でき、また臭いの発生を最小限に留めることができる上、回収後は開口部内側両面の粘着性の帯どうしを貼り合わす事で密閉され、このまま廃棄できる利便性がある。このことでオストメイトおよび介助者の精神的、労働的負担は大きく軽減される。【選択図】図１
0003152046.tif 000002
【実用新案登録請求の範囲】
【請求項１】
プラスチック袋の開口部内側両面に相対向するようにそれぞれ粘着性の帯を取り付け、双方の粘着性の帯の間に剥離紙が挟み込まれていることを特徴とする、ストーマ便回収袋。
【考案の詳細な説明】
【技術分野】
【０００１】  本考案は、オストメイトの便をストーマ袋から回収する時に使用する袋に関するものである。
【背景技術】
【０００２】  オストメイトのストーマ便の回収作業は、一般的には開口したプラスチックの袋を使って行われている。
【考案の概要】
【考案が解決しようとする課題】
【０００３】  ストーマ便を開口しているプラスチック袋で回収するにあたって、便の臭いがもれたり、作業する手が汚れたり、たくさんの拭き紙を使う必要があり、オストメイトや介助者の労働的負担および精神的負担がある。従って開口部を閉じることができるプラスチック袋を回収に使用することで、便の回収を簡単にし、臭いもほとんど出なくなることで前述の欠点を解決しようとするものである。
【課題を解決するための手段】
【０００４】  プラスチック袋の開口部内側両面に相対向するようにそれぞれ粘着性の帯を取り付け、双方の粘着性の帯の間に剥離紙が挟み込まれていることを特徴とする、ストーマ便回収袋を使用し、ストーマ袋と回収袋が一体となるよう連結できるようにすることで問題を解決している。【０００５】  本考案で用いるプラスチック袋は、ポリエチレン袋などで構わないが、生物分解可能なプラスチックを用いることにより、オストメイトが外出する時に外出先のトイレで処理できる上、環境にもやさしい。
本考案のプラスチック袋の開口部内側両面に取り付けられた粘着性の帯については、幅１０ミリ程度で長さは袋の開口部の幅と同じにすると便が漏れない。この粘着性の帯は、両面テープのようなものでも良いし、粘着材を帯状に塗布したものでもかまわない。
また、開口部内側両面に相対向するようそれぞれ粘着性の帯があるため、使用前は剥離紙を取り付けて、お互いに貼り付かないようにしておく必要がある。この剥離紙は中央部で分割しておくと、ストーマ袋を貼り付ける時に中央から別々に剥離紙を剥がして貼り付けることができ、作業が容易かつ確実となる。剥離紙の中央部でそれぞれ取っ手を設けておくか、折り返しを設けておくと指で剥がしやすい。剥離紙の幅は、粘着性の帯の幅より５ミリから１０ミリ程度幅が広いのが好ましい。
剥離紙の剥離能力を表と裏で若干差をつけることで、初めて袋を開口する時、剥離能力の弱い面の粘着性の帯の方に剥離紙が必ず残ることになり作業が楽である。
本考案の袋の開口部の幅はおおむね１５０ミリから２００ミリ程度と考えられるが、ストーマ袋の排出部が十分に入ることと、袋の貼り付け作業が容易にできる遊びの長さがあることが大切である。また、長さは２００ミリから３００ミリ程度が好ましい。しかし本考案の袋の幅と長さは、オストメイトごとに違う回収する回数や量を考え、幅と長さは何種類かのバリエーションから適宜選択すればよい。
【考案の効果】
【０００６】  回収用のプラスチック袋の開口部内側両面に取り付けられた粘着性の帯により、ストーマ袋と回収袋は一体となり、ストーマ袋の中の便を外気にさらすことなく回収袋に移動させることができる。このことは、開口している袋に便を回収するより、簡単に便を回収でき、また臭いの発生を最小限に留めることができる上、回収後は開口部内側両面の粘着性の帯どうしを貼り合わす事で密閉され、このまま廃棄できる利便性がある。このことでオストメイトおよび介助者の精神的、労働的負担は大きく軽減される。
【図面の簡単な説明】
【０００７】
【図１】回収袋の平面図と断面図である。
【図２】ストーマ便を回収する手順の説明図である。
【考案を実施するための形態】
【実施例】
【０００８】  この考案はプラスチックで作られた袋の開口部内側両面に相対向するようにそれぞれ粘着性の帯を取り付け、双方の粘着性の帯の間に剥離紙が挟み込まれたものである。本考案の一例として図１を用いて説明する。
図１において、粘着性の帯（１）は両面テープを約１０ミリの幅で使った。剥離紙（２）は両面テープに使われている剥離紙を使用し幅を約１５ミリとして、中央部に取っ手を付けた。（３）のプラスチック袋は長さ約３００ミリ、幅約２００ミリのもので材質はポリエチレンのやや厚手のものである。【０００９】次に、図２を用いて実施例の製品を実際に使用する時の手順を説明する。
手順１  便を回収する前の状態。
手順２  ストーマ袋の閉鎖具▲１▼より体側に便をしごいて移動させる。
手順３  別の閉鎖具▲２▼で袋を閉鎖する。
手順４  次に考案された袋の開口部を開き、片方の粘着性の帯を露出さる。
次にストーマ袋の閉鎖具▲１▼を解放し、粘着性の帯より内側にストーマ袋の端        がくるように回収袋に入れて粘着性の帯に貼り付けた後、もう片方の粘着性の帯        の剥離紙を剥がし、ストーマ袋に貼り付ける。
これでストーマ袋と回収袋は一体となる。
手順５  回収作業を容易にするために、ストーマ袋と回収袋の下に板を置き、へらでスト        ーマ袋をしごくことで容易に回収袋への便の回収が可能である。
手順６  回収袋を取り外す前に、閉鎖具▲２▼でストーマ袋の上部で閉鎖しておく。これ        は回収作業中にストーマから出てくる便を留め置くためである。
手順７  回収袋からストーマ袋を剥がし、回収袋の口を粘着性の帯で塞ぐ。
回収袋とストーマ袋と分離され、回収袋を廃棄する。
手順８  ストーマ袋の出口は清潔に拭く。
手順９  ストーマ袋を閉鎖具▲１▼で閉鎖して作業は完了する。
【産業上の利用可能性】
【００１０】  ストーマ袋を利用している方の便の処理を行うにあたって非常に便利である。
【符号の説明】
【００１１】１  粘着性の帯
２  剥離紙
３  プラスチック袋
【図１】
0003152046.tif 000003
【図２】
0003152046.tif 000004
(57)【要約】      （修正有）【課題】筆記用具に装着して書類などをめくる際に使用するページめくり用具の装飾物を提供する。【解決手段】筆記用具６のクリップ５に装着するための開口部を有するページめくり具４がクリップ５に装着されており、前側には装飾面２が有り、後側にあるページめくり具と係止させるため装着部３において装着する。これによりページめくり具と係止させるために設けられている装着部が、簡単にページめくり具から取り外し出来るため、ページめくり具の機能を損なわず、様々な種類の装飾物として筆記用具を楽しむことが出来る。【選択図】図１
0003152045.tif 000002
【実用新案登録請求の範囲】
【請求項１】
筆記用具のクリップに装着するための開口部を有するページめくり具に対して前側には装飾面が、後側にはページめくり具と係止させるための装着部が設けられていることを特徴とするページめくり具用装飾物。
【請求項２】
ページめくり具と係止させるための装着部が、先太のピン押し込み形状として成る請求項１記載のページめくり具用装飾物。
【請求項３】
ページめくり具と係止させるための装着部が、はずれ止め部を有するクリップ形状とて成る請求項１記載のページめくり具用装飾物。
【考案の詳細な説明】
【技術分野】
【０００１】  本考案は、筆記用具に装着して書類などをめくる際に使用するページめくり具用の装飾物に関する。
【背景技術】
【０００２】  従来、書類などをめくる際に筆記用具のクリップ部に装着するページめくり具が提案されている。【０００３】  一方、筆記用具のクリップの前面に、自然界に存在する物の形態をアクセサリー化した、模造の飾りを固着部で固着したペンシルキャップ用飾りがある。
【先行技術文献】
【特許文献】
【０００４】
【特許文献１】  特開２０００−３３５１８６号公報
【考案の概要】
【考案が解決しようとする課題】
【０００５】  しかしながら筆記用具のクリップ部に装着して使用するページめくり具だけでは、めくるという機能だけで見た目の面白さに欠けるものであった。【０００６】  一方の特許文献１のようなペンシルキャップ用飾りは、あくまでも飾りの用途としてのみに限定されてしまうものでページめくり具の機能を損ない、更にクリップの前面に固着されているため一種類のみの飾りとして楽しむだけのものであった。
【課題を解決するための手段】
【０００７】  本考案のページめくり具用装飾物は、筆記用具のクリップに装着するための開口部を有するページめくり具に対して前側には装飾面が、後側にはページめくり具と係止させるための装着部が設けられていることを特徴とする。【０００８】  又、ページめくり具と係止させるための装着部が、先太のピン押し込み形状として成ることを特徴とする。【０００９】  もしくは、ページめくり具と係止させるための装着部が、はずれ止め部を有するクリップ形状とて成ることを特徴とする。
【考案の効果】
【００１０】  本考案のページめくり具用装飾物は、ページめくり具と係止させるために設けられている装着部が、簡単にページめくり具から取り外し出来るため、ページめくり具の機能を損なわず様々な種類の装飾物として楽しむことが出来るものとなる。【００１１】  又、ページめくり具と係止させるための装着部が、先太のピン押し込み形状としして形成しておけば、ページめくり具をクリップに装着した状態からでも本考案のページめくり具用装飾物を簡単に脱着出来るものとなる。【００１２】  なお、ページめくり具と係止させるための装着部が、先太のピン押し込み形状として形成しておけば、多少の衝撃を受けても、クリップから脱落しない優れたものとなる。
【図面の簡単な説明】
【００１３】
【図１】  ページめくり具に本考案のページめくり具用装飾物を装着した状態を示す斜視図である。
【図２】  本考案の一実施例を示す正面図である。
【図３】  本考案の別の一実施例を示す正面図である。
【図４】  本考案の図２のものを示す斜視図である。
【図５】  本考案の図３のものを示す斜視図である。
【図６】  本考案の装飾面に動物の顔を配したものを示す斜視図である。
【考案を実施するための形態】
【００１４】  本考案におけるページめくり具用装飾物の大きさ、デザイン、材質、製造方法等は特に限定される事はないが、大量生産出来る点から、樹脂成形又はプレス成形されることが望ましい。
以下、実施例と図に基づき説明する。
【実施例】
【００１５】  以下、本考案の一実施例を図１、図２、図３、図４、図５及び図６で説明するがこれによって本考案はなんら限定されるものではない。【００１６】  図１は本考案の一実施例を示し、筆記用具（６）のクリップ（５）に装着するための開口部を有するページめくり具（４）がクリップ（５）に装着されており、前側には装飾面（２）が有り、後側にあるページめくり具と係止させるため装着部（３）において装着されている。【００１７】  なお図２は、図１のページめくり具用装飾物（１）が、ページめくり具（４）に装着される状況を示す図であり、係止させるための装着部（３）が、先太のピン押し込み形状が嵌合するよう凹み形状が設けられている。【００１８】  もちろん、本考案のページめくり具用装飾物（１）が取り外されて、ページめくり具（４）としての機能を損なうことは無い。【００１９】  図３は図２と同様に本考案のページめくり具用装飾物（１）がページめくり具（４）に装着された状況を示す図であり、係止させるための装着部（３）の、はずれ止め部（７）がクリップ形状として形成されており、クリップ（５）に装着するための開口部を利用して装着するものである。この場合は多少の衝撃をページめくり具用装飾物（１）に受けても、クリップ（５）から脱落しないものとなる。【００２０】  図４は図２で示した本考案の一実施例のものを後側から見た図であり、係止させるための装着部（３）が、先太のピン押し込み形状と成るもので、図５は図３で示した本考案の他の一実施例のものを後側から見た図であり、係止させるための装着部（３）が、はずれ止め部（７）がクリップ形状として成るものである。【００２１】  図６は、本考案のページめくり具用装飾物（１）の装飾面（２）が動物の顔で装飾されているものを示している。勿論このような装飾物が装飾面（２）に接着されて形成されても良く、デコレーション用の部材で装飾面に接着剤などの手段で装飾しても良い。
【産業上の利用の可能性】
【００２２】  ページめくり具と係止させるために設けられている装着部が、簡単にページめくり具から取り外し出来るため、ページめくり具の機能を損なわず、様々な種類の装飾物として筆記用具を楽しむことが出来るものとなる。更にこの装着面に様々な装飾品を接着したり、デコレーション用部材を接着剤などで固着して装飾して楽しむことが出来るものとなる。
【符号の説明】  １  ページめくり具用装飾物    ２  装飾面    ３  装着部
４  ページめくり具    ５  クリップ    ６  筆記用具
７  はずれ止め部
【図１】
0003152045.tif 000003
【図２】
0003152045.tif 000004
【図３】
0003152045.tif 000005
【図４】
0003152045.tif 000006
【図５】
0003152045.tif 000007
【図６】
0003152045.tif 000008
(57)【要約】      （修正有）【課題】贈り物として適したサクランボパックを提供する。【解決手段】台紙として触りの柔かな発泡スチロールの台紙１を用い、この台紙に金型を加熱して押圧して漢字一文字２を押圧して印字して凹ませ、この字形に凹ませた溝内にサクランボ３を置き並べることにより、例えば「寿」の文字がサクランボによって表現され、贈る人の心が相手に伝わるようにしてパック包装し、贈物用サクランボパックを構成する。【選択図】図１
0003152044.tif 000002
【実用新案登録請求の範囲】
【請求項１】
発泡スチロール製台紙（１）に所望する贈る１文字を凹出して形成し、該凹出形成された文字の溝（２）内にサクランボ（３）を配列したことを特徴とした贈答用サクランボパック。
【請求項２】
１文字にかえて簡単な図形としたことを特徴とした請求項１に記載の贈答用サクランボパック。
【考案の詳細な説明】
【技術分野】
【０００１】  本考案は、文字を現わしたサクランボパックに関する。
【背景技術】
【０００２】  従来のサクランボパックは、５００ｇ詰とか１ｋｇ詰用などの段ボール箱にサクランボを詰めて出荷発送されていた。この中で高級なものとして手詰めと称してサクランボ一粒一粒を大きさや色合いなどを揃えて置き並べて贈答用などとして利用していた。
【特許文献１】  特開２００６−１７１６７９号公報
【考案の開示】
【考案が解決しようとする課題】
【０００３】  前記のようにサクランボの包装箱は一般に四角形の段ボール箱で、単にバラ詰や手話等の違いであって蓋の印刷で美麗感を表現している。また季節外れに生産される一箱数万円もするような最高級のものは桐箱を使用しているサクランボパックも見られる。
【課題を解決するための手段】
【０００４】  考案者は、高級果実としてのサクランボを更に価値あるものとし、贈る者の心を伝えられるようにするために、文字や言葉を表わすようにサクランボを置き並べることを考えて、本考案にを開発したものである。
本考案は台紙として触りの柔かな発泡スチロールの台紙を用い、この台紙に文字を押圧して印字して凹出させ、この字形に凹出した溝内にサクランボを置き並べることにより、例えば図示するように「寿」の文字がサクランボによって表現され、贈る人の心が相手に伝わるようにしたサクランボパックを提供する。
【考案の効果】
【０００５】  上述のように本考案の贈答用サクランボパックは、贈る者の心をサクランボのパック内で字で表わし、高級品としてのサクランボを一層価値を高めることとして利用できるため贈答品として使用した場合の効果はきわめて顕著である。
【実施例】
【０００６】  添付図面により本考案を説明すると、図１は本考案の贈答用サクランボパックの全体を表わす斜視図であり、図２は図１のＡ−Ａ断面図である。【０００７】  図１において、（１）は発泡スチロール製の台紙であり、この台紙（１）に金型を加熱押圧して漢字一文字（２）を凹出して形成し、この凹出して形成された溝内にサクランボ（３）を置並べて図示のような文字（図では寿）を完成される。【０００８】  このサクランボ（３）の置並べに当ってはサクランボの柄を下に隠すように注意することが外観をよくするために必要であり、このように置並べることによって文字が浮き出して表現される。【０００９】  この表現される漢字は図示の「寿」に限ることなく、外に「愛」、「恋」などが考えられるが、包装箱（５）とサクランボの粒の大きさを考慮して作成する。【００１０】  包装箱（５）は従来からの段ボール製の箱で１ｋｇ用の箱が利用でき、符号（４）は包装箱（５）の蓋（図示していない）差し込み用の穴を示している。【００１１】  本考案にあっては文字（２）の形成に当って、加熱押圧によって溝を形成しているが、台紙（１）に碁盤の目状の凹部を設けるか、または波状の溝を形成し、コンピューターによりロッドマトリックス式の文字を表わし、これに従ってサクランボ（３）を置並べて表現することも可能である。本願においてはサクランボで表現するものを文字のみに示したが、簡単な図形や記号でも表現することができる。
【産業上の利用可能性】
【００１２】  本考案のサクランボパックは、贈答用として利用した場合に、包装を開いてサクランボパックを見たとき、サクランボで文字が現われているため、贈る人の気持が伝わり、より一層の感謝が興り、この効果はきわめて大きく、本考案の利用度は大である。
【図面の簡単な説明】
【００１３】
【図１】  サクランボパックの全体を表わす斜視図
【図２】  図１のＡ−Ａ断面図
【符号の説明】
【００１４】        （１）…発泡スチロール製台紙
（２）…凹出した溝文字
（３）…サクランボ
（４）…蓋差込み穴
（５）…段ボール箱
【図１】
0003152044.tif 000003
【図２】
0003152044.tif 000004
(57)【要約】      （修正有）【課題】容易に開閉ができ、簡易閉封保持時にメモ用紙やラベルを取りつけることが出来る伝言クロージャーを提供する。【解決手段】弾性変形可能な板状体、例えば、樹脂板、金属板、不織布板や紙からなり、簡易閉封保持時にメモ用紙やラベルを取り付けることが出来、ラベルやメモ用紙を保持するための挿み切込み部２をクロージャー本体１の少なくとも一箇所に設けたことを特徴とする。前記挿み切込み部２０は、波型状や円弧状に形成することにより保持力を高める効果をだすと同時にデザインの自由度がまし、さらに、突起や通し穴を利用することで用途に合わせたメモ用紙やラベルを取り付けることができる。【選択図】図１
0003152003.tif 000002
【実用新案登録請求の範囲】
【請求項１】
弾性変形可能な板状体からなる本体（１）の一端部側に、切込み（２）を設け、この切込み（２）に連続し、袋などの開口部を閉封保持する保持部（３）からなる着脱式クロージャーにおいて、
ラベル（１０）やメモ用紙（１１）を保持するための挿み切込み部（２０）をクロージャー本体（１）の少なくとも一箇所に設けたことを特徴とする伝言クロージャー。
【請求項２】
ラベル（１０）やメモ用紙（１１）を保持するための挿み切込み部（２０）が、波型状であることを特徴とする請求項１記載の伝言クロージャー。
【請求項３】
ラベル（１０）やメモ用紙（１１）を保持するための挿み切込み部（２０）が、半円弧状であることを特徴とする請求項１記載の伝言クロージャー。
【請求項４】
ラベル（１０）やメモ用紙（１１）を保持するための突起（３０）がクロージャー本体の少なくとも一箇所に設けられたことを特徴とする請求項１記載の伝言クロージャー。
【請求項５】
ラベル（１０）やメモ用紙（１１）を保持するための通し穴（３１）がクロージャー本体の少なくとも一箇所に設けられたことを特徴とする請求項１記載の伝言クロージャー。
【考案の詳細な説明】
【技術分野】
【０００１】  本考案は、開口部を閉封保持するクロージャーに関する。本考案の開口部を閉封保持するクロージャーは、菓子類、食品類、文房具類、アクセサリーや装飾用小物など装飾品類、衣類などを包装するために、又は、利用途中に、包装する袋、又は、包装紙の開口部を閉封保持するクロージャーに関する。
【背景技術】
【０００２】  菓子類や食品類の包装、又は、包んで用いられている包装紙や包装袋は、テープ止め・輪ゴムや紐を利用して結んだりし簡易な封止をしている。また、針金を利用するなど袋用口止め具も提案されている。
【先行技術文献】
【特許文献】
【０００３】
【特許文献１】特開平１１−２９２０３７号
【特許文献２】登録実用新案第３１１３７２１号
【特許文献３】登録実用新案第３１３１８４４号
【０００４】
【考案の概要】
【考案が解決しようとする課題】
【０００５】  従来の袋用のクロージャーでは、包装袋の口を閉じる目的に開発され、クロージャー開閉自体に両手を必要としない商品やしっかりと封止するクロージャーが提案されている。
本考案の目的は、簡易閉封保持時にメモやラベルを取り付けることが出来るデザイン性に優れた伝言クロージャーを提供することにある。
【課題を解決するための手段】
【０００６】  本考案は、弾性変形可能な板状体からなる本体（１）の一端部側に、切込み（２）およびこれに連続する開口部を閉封保持する保持部（３）からなる着脱式クロージャーにおいて、
ラベル（１０）やメモ用紙（１１）を保持するための挿み切込み部（２０）をクロージャー本体（１）の少なくとも一箇所に設けたことを特徴とし、ラベル（１０）やメモ用紙（１１）を保持するための挿み切込み部（２０）は、波型状や円弧状に形成され設けることにより保持力を高める効果をだすと同時にデザインの自由度がまし、突起（３０）や通し穴（３１）を利用することでは用途に合わせたメモやラベルを取り付けることができることを特徴とする伝言クロージャー。
【考案の効果】
【０００７】  本考案に係るクロージャーは上述のように構成され、作用する。
そのために、弾性変形可能な板状体、例えば、樹脂板、金属板、不織布板や紙からなる伝言クロージャーは、容易に開閉ができ、簡易閉封保持時にメモ用紙やラベルを取り付けることが出来る伝言クロージャーとなる。
【図面の簡単な説明】
【０００８】
【図１】本考案の伝言クロージャーの実施例を示す全体図。
【図２】本考案の伝言クロージャーを示す斜視図、（ａ）は、挿み切込み部の実施例を示す図、（ｂ）は、突起の実施例を示す図、（ｃ）は、通し穴の実施例を示す図。
【図３】本考案の伝言クロージャーの実施例を示す正面図。
【考案を実施するための形態】
【０００９】  次に、本考案の実施の形態を、図面１乃至図３を用いて詳細に説明する。なお、図１〜図３は、本考案の一実施例を示し、符号は、共通する部材は共通の符号を付している。
【実施例】
【００１０】  図１は、本考案の伝言クロージャー（１）の一実施例を示す全体図で、この実施例では、開口部を備えた透明の袋（５０）の上部が、伝言クロージャー（１）の切込み（２）を通過し、保持部（３）で袋（５０）上部がたたみ込まれるように簡易閉封保持している。勿論、開口部を備えたネット袋や布をねじり、伝言クロージャー本体（１）の切込み（２）を通過させ、保持部（３）で簡易閉封保持することができる。【００１２】  図２は、本考案の伝言クロージャーを示す斜視図で、（ａ）は、挿み切込み部（２０）の実施例を示す図、（ｂ）は、突起（３０）の実施例を示す図、（ｃ）は、通し穴（３１）の実施例を示す図。（ａ）の実施例では、本体（１）の下部に挿み切込み部（２０）が二本設けられ、波型状である。（ｂ）の実施例では、本体（１）の右下に突起（３０）が設けられている。この実施例ではメモ用紙などを突起（３０）に差し込（ｃ）の実施例では、本体（１）の右下に、星型の通し穴（３１）が設けられている。この実施例では紐などを備えたメモ用紙などをつるすことができる。【００１３】  図３の実施例では、本体（１）の下部に設けられた二本の波型挿み切込み部（２０）にメモ用紙（１１）を本体（１）に水平に挿みこんでいるが、本体（１）に設けられた二本の波型挿み切込み部（２０）のそれぞれに、メモ用紙などを垂直に差し込むことも可能である。この様に、挿み切込み部（２０）を波型状にデザインすることや、円弧状にデザインすることや、突起（３０）・通し穴（３１）を複数設けることや、設定位置を変えることでデザイン性に優れた伝言クロージャーとして使用することができる。
【産業上の利用可能性】
【００１１】  本考案は、容易に開閉ができ、簡易閉封保持時にメモやラベルを取り付けることが出来るデザイン性に優れた伝言クロージャーとして利用することにある。
【符号の説明】
【００１２】１    本体
２    切込み
３    保持部
１０  ラベル
１１  メモ用紙
２０  挿み切込み
３０  突起
３１  通し穴
５０  袋
【図１】
0003152003.tif 000003
【図２】
0003152003.tif 000004
【図３】
0003152003.tif 000005
(57)【要約】      （修正有）【課題】立ったままボールを拾い移動できるテニスボール拾い器を提供する。【解決手段】テニスボールが１個通る円筒の一端に弁を付け、ボールが円筒の中に入る様にした。【選択図】図３
0003152007.tif 000002
【実用新案登録請求の範囲】
【請求項１】
テニスボ−ルが１個通る円筒の一端に弁を付け、ボ−ルが円筒の中に入る様にした筒型テニスボ−ル拾い器。
【考案の詳細な説明】
【技術分野】
【０００１】  本考案は円筒の一端に弁を付けたボ−ル拾い器である。
【背景技術】
【０００２】  テニスボ−ルを用いた練習の際、練習後の散乱したテニスボ−ルを集める場合、時間的・肉体的に大変苦労をした。
【考案の開示】
【考案が解決しようとする課題】
【０００３】  テニスの練習の際、散乱したボ−ルを集めるのが時間的・肉体的負担である。従ってそれを解決しようとしたものである。
【課題を解決するための手段】
【０００４】  本考案は、プラスチック製の軽い器材で普通に立ったままボ−ルを拾い移動できるので問題点を解決している。
【考案の効果】
【０００５】  上述の様に本考案の筒型テニスボ−ル拾い器は、テニスの練習の際のボ−ル拾いの煩わしさから開放され、練習に集中でき効果を上げている。何よりもボ−ル拾いが楽しくやれる。
【考案の実施するための最良の形態】
【０００６】  筒は直径７５ｍｍ、長さ９４０ｍｍの透明なプラスチック製の円筒。両端はアルミニウム製で、それから１５ｍｍが僅かに内側に凹んでいて強化され、弁が装着される様になっている。弁は中心が直径２０ｍｍ程度の穴が開き、八等分に切れ目が入っていて、上記の筒に着脱可能なポリエチレン製の蓋。
【実施例】
【０００７】  以下、添付図面に従って一実施例を説明する。筒の上部１の部分を片手で持ち、筒の下部の弁２の部分を転がっているボ−ルの上に乗せ下に押しつけてボ−ルを筒の中に入れる。続いて次のボ−ル、その次のボ−ルと筒の中に入れ（１５個入る）入ったボ−ルは筒の上部から逆さまにして筒から出し、用意した籠等に流し込む。
【図面の簡単な説明】
【０００８】
【図１】  本考案の筒型テニスボ−ル拾い器の一実施例を示す正面図である。
【図２】  本拾い器の弁の断面図である。
【図３】  本拾い器の底から見た図である。
【図４】  筒の両端を示す図である。
【符号の説明】
【０００９】  １．ボ−ル拾い器本体
２．弁
【写真の簡単な説明】
【００１０】  添付写真の筒型テニスボ−ル拾い器は、現在実際試作品として長年使用しているもので、市販のテニスボ−ルの容器を利用して造られている。
【００１１】［写真１］  試作品によるボ−ル拾いの実際の風景である。
［写真２］  コ−ト、ベンチ等の隅のボ−ルも楽々拾える。
［写真３］  拾い器に入ったボ−ルはそのまま逆さまにして籠等の入れ物に流し込むだけ。
［写真４］  本拾い器の試作品の全体写真である。
［写真５］  本拾い器の試作品の上部を横から見た写真である。
［写真６］  本拾い器の試作品の上部を上から見た写真である。
［写真７］  本拾い器の試作品の下部を横から見た写真である。
［写真８］  本拾い器の試作品の下部を下から見た写真である。
［写真９］  本拾い器の試作品の弁を外から見た写真である。
［写真１０］  本拾い器の試作品の弁を内から見た写真である。
［写真１１］  本拾い器の試作品の筒と弁が脱着でき、弁の交換が可能であることを示す写真である。
【図１】
0003152007.tif 000003
【図２】
0003152007.tif 000004
【図３】
0003152007.tif 000005
【手続補正書】
【提出日】平成21年5月15日(2009.5.15)
【手続補正１】
【補正対象書類名】図面
【補正対象項目名】図３
【補正方法】変更
【補正の内容】
【図３】
0003152007.tif 000006
【手続補正２】
【補正対象書類名】図面
【補正対象項目名】図４
【補正方法】変更
【補正の内容】
【図４】
0003152007.tif 000007
(57)【要約】      （修正有）【課題】農地隅部を機械を使って耕すことを可とする農業ロータリー付バッグホウを提供する。【解決手段】農業用ロータリー４を建設機械であるバックホウ７に装着し、耕うん等の作業を実施することにより、従来、農業機械により作業が不可能であった農地隅部の耕うん等の農作業が小旋回可能なバックホウの作業により機械による農地の隅々の作業を可能とする。【選択図】図７
0003152006.tif 000002
【実用新案登録請求の範囲】
【請求項１】
田畑等で使用する農業用ロータリーを専用器具により取り付けた建設用機械バックホウ
【考案の詳細な説明】
【技術分野】
【０００１】
本考案は、建設機械であるバックホウに農業用ロータリーを取り付けた農業ロータリー付バックホウである。
【背景技術】
【０００２】
従来、田畑の耕うんには耕運機やトラクターにロータリーを装着したものにより耕うんし農作物を生産している。
【考案の概要】
【考案が解決しようとする課題】
【０００３】
耕運機やロータリーを装着した農作機械により農地を耕うんした場合、農作機械の旋回時等の問題により、農地隅部の耕うんが困難である。耕うん出来ない箇所は人力により鍬等で耕うんすることとなり、甚大な労力が必要となる。
【課題を解決するための手段】
【０００４】
本考案は、上記問題を解決するために、建設機械であるバックホウに農業用ロータリーを装着し、耕うん等の農作業をするものである。バックホウは、クローラ式である為、小旋回が可能であり、又、軟弱な地盤等でも対応が可能であることから、多様な地形及び地盤に隅々まで対応できる。
【考案の効果】
【０００５】
本考案に係る農業用ロータリー付バックホウを使用することで、多様な地形及び地盤の耕うん等の農作業が可能となり、従来、農業機械作業が不可能な為、人力により作業していた箇所を機械により実施することにより、農作業における労力の軽減が期待できる。  
【考案を実施するための形態】
【０００６】
農業用ロータリーを建設機械であるバックホウに装着する為、専用の鋼製取付器具（図１〜図６）を製作し、溶接又はボルト締めにより装着する。（図６〜図９）
【図面の簡単な説明】
【０００７】
【図１】本考察に係る農業用ロータリー付バックホウの取付器具Ａの平面図である。
【図２】本考察に係る農業用ロータリー付バックホウの取付器具Ａの正面図である。
【図３】本考察に係る農業用ロータリー付バックホウの取付器具Ａの側面図である。
【図４】本考察に係る農業用ロータリー付バックホウの取付器具Ｂの平面図である。
【図５】本考察に係る農業用ロータリー付バックホウの取付器具Ｂの正面図である。
【図６】本考察に係る農業用ロータリー付バックホウの取付器具Ｂの側面図である。
【図７】本考察に係る農業用ロータリー付バックホウの側面図である。
【図８】本考察に係る農業用ロータリー付バックホウの平面図である。
【図９】本考察に係る農業用ロータリー付バックホウの正面図である。
【符号の説明】
【０００８】
１  農業用ロータリー接続部
２  バックホウ接続部
３  油圧ホース接続部
４  農業用ロータリー
５  取付器具Ａ
６  取付器具Ｂ
７  建設機械（バックホウ）
【図１】
0003152006.tif 000003
【図２】
0003152006.tif 000004
【図３】
0003152006.tif 000005
【図４】
0003152006.tif 000006
【図５】
0003152006.tif 000007
【図６】
0003152006.tif 000008
【図７】
0003152006.tif 000009
【図８】
0003152006.tif 000010
【図９】
0003152006.tif 000011
【手続補正書】
【提出日】平成21年5月20日(2009.5.20)
【手続補正１】
【補正対象書類名】実用新案登録請求の範囲
【補正対象項目名】全文
【補正方法】変更
【補正の内容】
【実用新案登録請求の範囲】
【請求項１】
田畑等で使用する農業用ロータリーを該農業用ロータリーの接続部と建設機械のバックホウのアタッチメント接続部が合致するように鋼板及び鋼製ボルトを切断及び溶接により加工製作した金具を使用し装着したことを特徴とする建設用機械バックホウ。
(57)【要約】      （修正有）【課題】タバコを一定時間ごとに供給する装置を提供する。【解決手段】時計の分針の回転力そのまま使用してタバコ７を１時間に一本送り出すことにより簡単な構造でタバコの吸い過ぎを抑制しようとするものである。また就寝時などタバコ７が取り出し口４に残っていると取り出し口４への供給が停止される装置とした。【選択図】図１
0003152008.tif 000002
【実用新案登録請求の範囲】
【請求項１】
時計装置（時計から針を外したもの）と制御板とタバコ送りレールと取り出し口から成
り、時計装置の分針の軸に固定された制御板により分針の回転をそのまま利用して、タバ
コを１時間に１本、タバコ送りレールから取り出し口へ移動させることを特徴とするタバ
コケース。
【請求項２】
請求項１のタバコケースで、制御板に近い一本のタバコを上に押し上げることで１本目
のタバコを制御板の作動範囲外へ移動させるストッパーを設け、ストッパーにより取り出
し口へのタバコの移動を止めることを特徴とするタバコケース。
【請求項３】
請求項１及び２に記載のタバコケースにおいて取り出し口とストッパーとを連結させる
連結バーのほぼ中央に支点を設けることで、タバコ一本が取り出し口に有ると、取り出し
口がタバコの自重で下がり、それに連動してストッパーが上昇し、タバコ送りレールから
のタバコの移動を停止させることを特徴とするタバコケース。
【考案の詳細な説明】
【技術分野】
【０００１】
本考案は、タバコを一定時間ごとに供給する装置に関するものである。
【背景技術】
【０００２】
タバコを吸う本数を減らしたいが吸い過ぎてしまう。
【考案の開示】
【考案が解決しようとする課題】
【０００３】
タバコを手元に置くとツイ吸ってしまうので、簡単に取り出せないようタバコを収納し
１時間に1本しかタバコを取り出せないタバコケースが有ればタバコの吸い過ぎを防げる。
これまでの方法は電気接点のあるタイマーを使いモーター等でタバコを送り出すか蓋を開
閉する、または円筒形のタバコ収納ケースを回転させるなど構造が複雑だった。
【課題を解決するための手段】
【０００４】
上記の課題を解決するため、本考案はタバコ送りレールと時計装置（時計から針を外
したもの）と制御板と取り出し口とストッパーから成る。制御板は羽状でその一端は時計
の分針の軸に固定されている。時計装置の回転力はそのままタバコの送り出しに使う。タ
バコ送りレールは通常２０本以上のタバコを収納し、制御板の方向へやや傾斜しておりタ
バコの自重で制御板方向移動する。時計装置の分針の軸の回転により制御板も回転し、1
時間に１本のタバコをタバコ送りレールから取り出し口へ移動させる。愛煙家は取り出し
口のタバコしか取り出すことが出来ないのでタバコの吸い過ぎを防げる。
ストッパーは就寝時などタバコの移動を止めるもので、制御板の回転範囲より上に１
本のタバコを押し上げ、制御板を空回りさせると共に２本目以降の移動を止める。ストッ
パーは取り出し口と連結されており１本のタバコが取り出し口に有ると重量のバランスに
よりストッパーは上昇し、取り出し口のタバコを取り出さないとタバコの供給を停止する。
【考案の効果】
【０００５】
上述のように、決められた時間おきにしかタバコを取り出せないのでヘビースモーカ
ーも吸い過ぎが出来ない。目の前にタバコがあると無意識のうちにタバコに火を点けると
いう悪癖から開放される効果が期待できる。
【考案を実施するための最良の形態】
【０００６】
市販の時計装置を利用することでその構造は簡単である。時計装置の分針は１時間に
１回転するので１時間に１本の喫煙は節煙したい者には適切なタバコ供給量となる。
【実施例】
【０００７】
以下、添付図面に従って一実施例を説明する。１は時計装置である。針を外した時計
を時計装置とした。２は制御板である。制御板は図示のように通常羽状とし一端が時計装
置の分針の軸に固定され１時間おきに１回１本のタバコを取り出し口へ移動させる。３は
タバコ送りレールで通常２０本以上のタバコを収納し制御板方向へやや傾斜している。４
は取り出し口である。５はストッパーでタバコの移動を止める。６は連結バーでほぼ中央
を支点として回動する。７はタバコで破線で示している。なお連結バーの回動の軸を黒点
で示した。
【図面の簡単な説明】
【０００８】
【図１】本考案にかかる節煙タバコケースを示す側断面図である。
【図２】本考案にかかる節煙タバコケースを示す平断面図である。
【符号の説明】
【０００９】
１  時計装置（時計から針を外してある）
２  制御板
３  タバコ送りレール
４  取り出し口
５  ストッパー
６  連結バー
７  タバコ  
【図１】
0003152008.tif 000003
【図２】
0003152008.tif 000004
【手続補正書】
【提出日】平成21年5月7日(2009.5.7)
【手続補正１】
【補正対象書類名】実用新案登録請求の範囲
【補正対象項目名】全文
【補正方法】変更
【補正の内容】
【実用新案登録請求の範囲】
【請求項１】
時計装置と制御板とタバコ送りレールと取り出し口から成り、時計装置の分針の軸に固
定された制御板により分針の回転をそのまま利用して、タバコを１時間に１本、タバコ送
りレールから取り出し口へ移動させることを特徴とするタバコケース。
【請求項２】
請求項１のタバコケースで、制御板に近い１本のタバコを上に押し上げることで１本目
のタバコを制御板の作動範囲外へ移動させるストッパーを設け、ストッパーにより取り出
し口へのタバコの移動を止めることを特徴とするタバコケース。
【請求項３】
請求項１または２に記載のタバコケースにおいて取り出し口とストッパーとを連結させ
る連結バーのほぼ中央に支点を設けることで、タバコ１本が取り出し口に有ると、取り出
し口がタバコの自重で下がり、それに連動してストッパーが上昇し、タバコ送りレールか
らタバコの移動を停止させることを特徴とするタバコケース。